(57)【要約】【課題】無線通信システムにおけるデータフレーミング方法及び装置を提供する。【解決手段】方法は、複数の上位層パケットを下位層パケットとして結合するときに、該複数の上位層パケットのうち、第一上位層パケットのシーケンス番号を該下位層パケットのシーケンス番号とし、上記下位層パケットのうち、上記複数の上位層パケットのうち、第一上位層パケット以外のもののシーケンス番号を除去するステップからなる。【選択図】図３
2008005493.tif 000002
【特許請求の範囲】
【請求項１】
無線通信システムにおけるデータフレーミング方法であって、
複数の上位層パケットを下位層パケットとして結合するときに、該複数の上位層パケットのうち、第一上位層パケットのシーケンス番号を該下位層パケットのシーケンス番号とし、
上記下位層パケットのうち、上記複数の上位層パケットのうち、第一上位層パケット以外のもののシーケンス番号を除去するステップからなることを特徴とするデータフレーミング方法。
【請求項２】
前記下位層パケットは第一上位層パケットのシーケンス番号を含むことを特徴とする請求項１記載のデータフレーミング方法。
【請求項３】
無線通信システムにおけるデータフレーミングに用いられる通信装置であって、
通信装置の機能を実現させる制御回路と、
制御回路の中に設けられ、プログラムコードを実行して制御回路を制御する中央処理装置（ＣＰＵ）と、
制御回路の中でＣＰＵと結合されるように設けられ、プログラムコードを保存するための保存装置とを含み、そのうちプログラムコードは、
複数の上位層パケットを下位層パケットとして結合するときに、該複数の上位層パケットのうち、第一上位層パケットのシーケンス番号を該下位層パケットのシーケンス番号とし、
上記下位層パケットのうち、上記複数の上位層パケットのうち、第一上位層パケット以外のもののシーケンス番号を除去するステップを含むことを特徴とする通信装置。
【請求項４】
前記下位層パケットは第一上位層パケットのシーケンス番号を含むことを特徴とする請求項３記載の通信装置。
【発明の詳細な説明】
【技術分野】
【０００１】
本発明は無線通信システムにおけるデータフレーミング方法及び装置に関し、特に無線伝送量を減少し、無線資源の使用効率を高めるデータフレーミング方法及び装置に関する。
【背景技術】
【０００２】
第三世代移動通信技術では高いスペクトル利用効率、カバー率、通話品質及び高速伝送が実現するとともに、ＱｏＳ（サービス品質）の確保、柔軟性のある双方向通信の実現、通話中断率の低減が可能となる。しかし、高速データ伝送及びマルチメディア応用への要求が高まる中で、次世代の移動通信技術は開発されつつあり、それに伴う通信規格の改定も頻繁に行われている。例えば、第三世代移動通信システム（例えばＵＭＴＳ（ｕｎｉｖｅｒｓａｌ  ｍｏｂｉｌｅ  ｔｅｌｅｃｏｍｍｕｎｉｃａｔｉｏｎ  ｓｙｓｔｅｍ））をベースにした先進高速無線システムであるＬＴＥ（ｌｏｎｇ  ｔｅｒｍ  ｅｖｏｌｕｔｉｏｎ）無線通信システムは、パケット交換のみサポートすればよいため、そのＲＬＣ（無線リンク制御）層とＭＡＣ（媒体アクセス制御）層は同一の通信プロトコル層として統合されており、システム構造が簡単でありながらも、伝送遅延の解消及び伝送効率の向上に大きく役立つ。そのシステム構造については３ＧＰＰによる３ＧＰＰ  ＴＲ  ２５．８１３  Ｖ１．０．１を参照する。
【０００３】
ＡＭ（アクノレッジ）モードでは、ＲＬＣ（無線リンク制御）エンティティーは送信側と受信側に分けられる。送信側はＡＭ−ＳＡＰ（ＡＭモードサービスアクセスポイント）を介して上位層からＲＬＣ  ＳＤＵ（無線リンク制御サービスデータユニット）を受信する。ＲＬＣ  ＳＤＵはサイズが一定したＡＭＤ  ＰＤＵ（ＡＭモードプロトコルデータユニット）に分割し、再送バッファとマルチプレクサーに保存することができる。マルチプレクサーは、再送バッファに保存されるＰＤＵを新たに分割・連結されたＰＤＵと結合し、特定手段を利用してこのＰＤＵにヘッダを添付する。ＲＬＣエンティティーの送信側は論理チャネルを通してＡＭ  ＰＤＵをＭＡＣ（媒体アクセス制御）層などの下位層に送信する。
【０００４】
ＬＴＥ無線通信システムでは、ＰＤＣＰ（パケットデータ収斂プロトコル）エンティティーはＲＬＣエンティティーの上位層プロトコルエンティティーとして、パケット（ＲＬＣエンティティーにとってはＲＬＣ  ＳＤＵ）をＲＬＣエンティティーに出力する。暗号化のためにＰＤＣＰエンティティーで形成されるパケットにはすべてＰＤＣＰシーケンス番号がつけられ、ＲＬＣエンティティーはそれに基づいて並び替え（ｒｅ−ｏｒｄｅｒｉｎｇ）、重複検査、フロー制御、ＡＲＱ（自動リピート要求）などの処理を行う。複数のＰＤＣＰ  ＰＤＵ（すなわちＲＬＣ  ＳＤＵ）をＲＬＣ  ＰＤＵとして結合・連結するとき、元のＰＤＣＰ  ＰＤＵはＲＬＣ  ＰＤＵに丸ごとに組み入れられる。言い換えれば、ＰＤＣＰ  ＰＤＵの内容は結合や連結により変動しない。ＲＬＣ  ＰＤＵにＰＤＣＰ  ＰＤＵを丸ごとに組み入れる従来のデータフレーミング方法では、ＲＬＣ  ＰＤＵが不必要に長く、それを処理するため無線資源が無駄に費やされる。
【発明の開示】
【発明が解決しようとする課題】
【０００５】
本発明は無線資源を節約するため、無線通信システムにおけるデータフレーミング方法及び装置を提供することを課題とする。
【課題を解決するための手段】
【０００６】
本発明は無線通信システムにおけるデータフレーミング方法を提供する。該方法は、複数の上位層パケットを下位層パケットとして結合するときに、該複数の上位層パケットのうち、第一上位層パケットのシーケンス番号を該下位層パケットのシーケンス番号とし、上記下位層パケットのうち、上記複数の上位層パケットのうち、第一上位層パケット以外のもののシーケンス番号を除去するステップからなる。
【０００７】
本発明は更に、無線通信システムにおけるデータフレーミングに用いられる通信装置を提供する。該通信装置は、通信装置の機能を実現させる制御回路と、制御回路の中に設けられ、プログラムコードを実行して制御回路を制御する中央処理装置（ＣＰＵ）と、制御回路の中でＣＰＵと結合されるように設けられ、プログラムコードを保存するための保存装置とを含む。該プログラムコードは、複数の上位層パケットを下位層パケットとして結合するときに、該複数の上位層パケットのうち、第一上位層パケットのシーケンス番号を該下位層パケットのシーケンス番号とし、上記下位層パケットのうち、上記複数の上位層パケットのうち、第一上位層パケット以外のもののシーケンス番号を除去するステップを含む。
【発明の効果】
【０００８】
本発明では、複数の上位層パケットを下位層パケットに結合するとき、第一上位層パケット以外のもののシーケンス番号は除去される。そのため無線伝送量は節減され、無線資源の使用効率は向上する。
【発明を実施するための最良の形態】
【０００９】
かかる方法及び装置の特徴を詳述するために、具体的な実施例を挙げ、図示を参照して以下に説明する。
【００１０】
図１を参照する。図１は無線通信システムの無線通信装置１００のブロック図である。説明を簡素化するため、図１は無線通信装置１００の入力装置１０２、出力装置１０４、制御回路１０６、ＣＰＵ（中央処理装置）１０８、保存装置１１０、プログラムコード１１２及びトランシーバー１１４のみ描くとする。無線通信装置１００において、制御回路１０６はＣＰＵ１０８で保存装置１１０に保存されるプログラムコード１１２を実行し、無線通信装置１００の動作を制御する。制御回路１０６は入力装置１０２（例えばキーボード）を介してユーザーが入力した信号を受信し、出力装置１０４（スクリーン、スピーカーなど）を介して映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実現させる。無線通信装置１００は第三世代移動通信システムに設けられることが望ましい。
【００１１】
図２を参照する。図２は図１に示すプログラムコード１１２を表す説明図である。アプリケーション層２００と、第三層インターフェイス２０２と、第二層インターフェイス２０６からなるプログラムコード１１２は、第一層インターフェイス２１８と接続されている。第二層インターフェイス２０６は副層としてＲＬＣエンティティー２２６とＰＤＣＰエンティティー２２４を含む。ＰＤＣＰエンティティー２２４はＲＬＣエンティティー２２６の上位層プロトコルエンティティーとして、ヘッダの圧縮／解凍、ユーザーデータの伝送、ＰＤＣＰシーケンス番号の暗号化及び保持などの処理を行う。ＲＬＣエンティティー２２６は種々のサービス品質に応じ、伝送データや制御指令に対して分割、再組み立て、連結、パディング、再送、シーケンス検査、重複検出などの処理を行う。
【００１２】
ＬＴＥ無線通信システムでは、暗号化のためにＰＤＣＰエンティティー２２４で形成されるパケットにはすべてＰＤＣＰシーケンス番号がつけられ、ＲＬＣエンティティー２２６はそれに基づいてＲＬＣ機能を実行する。無線伝送効率を高めるため、本発明は下記のようなデータフレーミング処理プログラムコード２２０を提供する。
【００１３】
図３を参照する。図３は本発明による方法３０のフローチャートである。下記方法３０は無線通信システムにおけるデータフレーミングに用いられ、データフレーミング処理プログラムコード２２０としてコンパイルすることができる。
ステップ３００：開始。
【００１４】
ステップ３０２：複数の上位層パケットを下位層パケットとして結合するときに、該複数の上位層パケットのうち第一上位層パケットのシーケンス番号を該下位層パケットのシーケンス番号とする。
【００１５】
ステップ３０４：上記下位層パケットの中から、上記上位層パケットのうち、第一上位層パケット以外のもののシーケンス番号を除去する。
【００１６】
ステップ３０６：終了。
以上のとおり、本発明では、複数のＰＤＣＰ  ＰＤＵ（すなわちＲＬＣ  ＳＤＵ）をＲＬＣ  ＰＤＵとして結合・連結するとき、該複数のＰＤＣＰ  ＰＤＵのうち１つのシーケンス番号をＲＬＣシーケンス番号とし、その他のＰＤＣＰ  ＰＤＵのシーケンス番号は削除してもよい。ＰＤＣＰシーケンス番号は１個のみ残されるため、それを処理するための無線資源は節約される。対応するＲＬＣエンティティーは選ばれたＰＤＣＰシーケンス番号に基づいてその他のＰＤＣＰシーケンス番号を再確立することができる。注意すべきは、上記第一上位層パケットは複数の上位層パケットから任意に選ぶことができるが、最も前のパケットが望ましい。
【００１７】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００１８】
本発明は従来の動作条件を変えたのみであり、当然実施可能である。
【図面の簡単な説明】
【００１９】
【図１】無線通信システムの無線通信装置のブロック図である。
【図２】図１に示すプログラムコードを表す説明図である。
【図３】本発明による方法のフローチャートである。
【符号の説明】
【００２０】
１００      無線通信装置
１０２      入力装置
１０４      出力装置
１０６      制御回路
１０８      ＣＰＵ
１１０      保存装置
１１２      プログラムコード
１１４      トランシーバー
２００      アプリケーション層
２０２      第三層インターフェイス
２０６      第二層インターフェイス
２１８      第一層インターフェイス
２２０      データフレーミングプログラムコード
２２４      ＰＤＣＰエンティティー
２２６      ＲＬＣエンティティー
【図１】
2008005493.tif 000003
【図２】
2008005493.tif 000004
【図３】
2008005493.tif 000005